(57)【要約】【課題】ユニット部とフレームとの電気的な接続を維持したまま、ユニット部をフレームから大きく引き出すことができ、その状態で、ユニット部の駆動状態の確認をユニット部の側面から目視で行なうことができる遊技媒体貸出装置の提供を目的としている。【解決手段】本発明の遊技媒体貸出装置は、遊技機間に固定配置されるフレーム３と、フレーム３に対して着脱可能で且つフレーム３と電気的に接続される接続コネクタ７１を有するユニット部５と、フレーム３に設けられ、接続コネクタ７１と電気的に接続されるユニット側コネクタ７０を有するとともに、フレーム３が配置される遊技機同士の間からユニット部５の側面のほぼ全体が露出するまでユニット部５をフレーム３に対して移動させるスライド部材６２とを備えている。【選択図】    図１
2005046432.tif 000002
【特許請求の範囲】
【請求項１】
遊技機間に固定配置されるフレームと、
前記フレームに対して着脱可能に取り付けられるとともに、紙幣識別装置、硬貨識別装置及び記録媒体処理装置の少なくとも一つを備え、前記フレームと電気的に接続されるユニット側コネクタを有するユニット部と、
前記フレームに設けられ、前記ユニット側コネクタと電気的に接続される接続コネクタを有するとともに、前記フレームが配置される遊技機同士の間から前記ユニット部の側面のほぼ全体が露出するまで前記ユニット部を前記フレームに対して移動させるスライド部材と、
を備えていることを特徴とする遊技媒体貸出装置。
【請求項２】
前記ユニット側コネクタが前記ユニット部の下部に設けられ、前記接続コネクタを有する前記スライド部材が前記フレームの下部にスライド自在に設けられていることを特徴とする請求項１に記載の遊技媒体貸出装置。
【請求項３】
前記フレームには、前記ユニット部に組み込まれた前記各装置の駆動制御を行なう制御ユニットが設けられており、前記接続コネクタおよび前記ユニット側コネクタを介して前記制御ユニットと前記各装置との間で電力の供給および制御信号の送受信が行なわれることを特徴とする請求項１または請求項２に記載の遊技媒体貸出装置。
【発明の詳細な説明】
【技術分野】
【０００１】
本発明は、例えばパチンコ機やスロットマシン等の遊技機（以下、「遊技機」と総称する）が設置されている遊技場に配設され、遊技機間に配設される遊技媒体貸出装置に関する。
【背景技術】
【０００２】
一般的に、パチンコホールのような遊技場では、遊技者の便宜を図るために、遊技機が多数設置された領域（「島」とも称する）において、隣接する遊技機間に、パチンコ球やコイン（遊技媒体）を貸し出すための縦長状の遊技媒体貸出装置が設置されている。通常、遊技媒体貸出装置は、各遊技機間に固定設置されるフレームと、このフレームに対して引き出し可能なユニット部とを備えている。フレームに対して引き出されるユニット部は、前面側が遊技者に露出しており、例えば特許文献１に開示されているように、紙幣や硬貨、プリペイドカード等を遊技媒体貸出装置の挿入口に挿入することで、遊技媒体の貸し出しが行われるようになっている。
【０００３】
そして、ユニット部の内部には、挿入された紙幣の有効性を識別する紙幣識別装置（ビルバリユニット）、投入された硬貨の有効性を識別する硬貨識別装置（コインセレクタユニット）、プリペイドカード、ＩＣカードなどの記録媒体を取り込み、返却すると共に、記録情報を読み取ったり、情報を書き込むための記録媒体処理装置（カード処理ユニット）、及び、前記各装置を制御すると共に電力供給を行なう電源装置（制御ユニット）等が収容されている。
【特許文献１】特開２００２−１４３５３９号公報。
【発明の開示】
【発明が解決しようとする課題】
【０００４】
ところで、前記フレームと、このフレームに対して引き出される前記ユニット部とは、接続コネクタを介して互いに電気的に接続される。従来、このような接続コネクタを介した両者の電気的な接続は、ユニット部をフレームに対して完全に取り付けた際に成され、ユニット部をフレームから引き出すことでコネクタ接続が外れるようになっている。そのため、ユニット部をフレームから引き出した状態で、ユニット部の駆動操作を確認する等、メンテナンスを行なうことができない。
【０００５】
発明は、前記事情に着目してなされたものであり、その目的とするところは、ユニット部とフレームとの電気的な接続を維持したまま、ユニット部をフレームから大きく引き出すことができ、その状態で、ユニット部の駆動状態の確認をユニット部の側面から目視で行なうことができる遊技媒体貸出装置を提供することを目的とする。
【課題を解決するための手段】
【０００６】
前記課題を解決するために、請求項１に係る遊技媒体貸出装置は、遊技機間に固定配置されるフレームと、前記フレームに対して着脱可能に取り付けられるとともに、紙幣識別装置、硬貨識別装置及び記録媒体処理装置の少なくとも一つを備え、前記フレームと電気的に接続されるユニット側コネクタを有するユニット部と、前記フレームに設けられ、前記ユニット側コネクタと電気的に接続される接続コネクタを有するとともに、前記フレームが配置される遊技機同士の間から前記ユニット部の側面のほぼ全体が露出するまで前記ユニット部を前記フレームに対して移動させるスライド部材とを備えていることを特徴とする。
【０００７】
この請求項１に記載された発明によれば、前記接続コネクタと前記ユニット側コネクタとを接続したまま、スライド部材を移動させて、前記フレームが配置される遊技機同士の間から前記ユニット部の側面のほぼ全体を露出させることができる。すなわち、ユニット部とフレームとの電気的な接続を維持したまま、ユニット部をフレームから大きく引き出すことができる。そのため、ユニット部をフレームに取り付けた状態のまま、ユニット部の駆動状態の確認をユニット部の側面（開閉可能なカバー等を開いた状態で）から目視で行なうことができる。
【０００８】
また、請求項２に係る発明は、請求項１に記載された発明において、前記ユニット側コネクタが前記ユニット部の下部に設けられ、前記接続コネクタを有する前記スライド部材が前記フレームの下部にスライド自在に設けられていることを特徴とする。
【０００９】
この請求項２に記載された発明によれば、請求項１に記載された発明と同様の作用効果が得られるとともに、ユニット部をスライド部材に位置併せして載置するだけで、ユニット側コネクタを自動的に接続コネクタに接続させることが可能となる。この場合、例えば、ユニット部の背面側で接続を行なう構成と比較して、接続位置が着脱ポイントに近くなることから、精度良く接続が行なえると共に、ユニット部の自重が作用するため、確実な接続状態が維持される。
【００１０】
また、請求項３に係る発明は、請求項１または請求項２に記載された発明において、前記フレームには、前記ユニット部に組み込まれた前記各装置の駆動制御を行なう制御ユニットが設けられており、前記接続コネクタおよび前記ユニット側コネクタを介して前記制御ユニットと前記各装置との間で電力の供給および制御信号の送受信が行なわれることを特徴とする。
【００１１】
この請求項３に記載された発明によれば、請求項１または請求項２に記載された発明と同様の作用効果が得られるとともに、メンテナンス等の頻度が少ない制御ユニットを、前記ユニット部と分離される別体としてフレーム側に設けておくことで、ユニット部の大きさを小さくすることが可能になり、ユニット部の取扱い性が向上すると共に、着脱操作がより容易に行なえるようになる。
【００１２】
なお、ユニット部は、前記各装置（紙幣識別装置、硬貨識別装置、記録媒体処理装置）以外の装置を含んでいても良い。例えば、ユニット部をフレームから着脱するにあたり、両者をロック、解除するロック機構等を設けておいても良く、また、このようなロック機構を電気的に駆動する駆動モータ等の駆動機構を備えていても良い。
【発明の効果】
【００１３】
本発明に係る遊技媒体貸出装置によれば、ユニット部とフレームとの電気的な接続を維持したまま、ユニット部をフレームから大きく引き出すことができ、その状態で、ユニット部の駆動状態の確認をユニット部の側面から目視で行なうことができる。
【発明を実施するための最良の形態】
【００１４】
以下、本発明に係る遊技媒体貸出装置の一実施形態について説明する。  
図１は、図示されていない遊技機の間に設置される遊技媒体貸出装置１の一構成例を示す図であり、（ａ）は、内部構成の概略を示す側面図、（ｂ）は、正面図である。
【００１５】
遊技媒体貸出装置１は、遊技機間に設置固定される断面コの字型のフレーム３と、縦長の箱状に形成されたユニット部５とを備えている。
【００１６】
フレーム３は、上下方向に延出する背面フレーム部３ａと、この背面フレーム部３ａの上端において、水平方向前方に延出する上フレーム部３ｂとを備えており、これらのフレーム部は、図示されていない遊技機間に設置固定され、遊技者側からは、通常は見えないようになっている。
【００１７】
ユニット部５内には、上から順に、挿入された紙幣の有効性を識別する紙幣識別装置（ビルバリユニット）１０と、投入された硬貨の有効性を識別する硬貨識別装置（コインセレクタユニット）２０と、プリペイドカード、ＩＣカードなどの記録媒体を取り込み、返却すると共に、記録情報を読み取ったり、情報を書き込むための記録媒体処理装置（カード処理ユニット）３０とが設けられている。
【００１８】
また、ユニット部５には、遊技者側に露出する前面パネル６が設けられている。この前面パネル６には、ビルバリユニット１０に対応して紙幣挿入口１１が、コインセレクタユニット２０に対応して硬貨投入口２１及び硬貨を返却する返却口２３が、そして、カード処理ユニット３０に対応してプリペイドカードやＩＣカードなどの記録媒体を挿入、排出するカード挿入口３１が夫々設けられている。なお、前面パネル６には、更に、例えば、カード処理ユニット３０と協働するテンキー等のテンキー入力装置３５や、上記した各ユニットにおいてエラーが生じた場合、エラー表示等を行なうディスプレイ３６が配置されていても良い。
【００１９】
ユニット部５の下方には、このユニット部５と分離され、上記した各ユニットの駆動制御を行なうＣＰＵボード及び電源部を備えた制御ユニット４０が設けられている。この制御ユニット４０は、フレーム３に装着されており、図示されていないホストコンピュータに接続されると共に、ユニット部５内に設置された各ユニットに対して、制御信号の送受信および電力供給を行なうべく、後述する接続コネクタ７１を介してユニット部５に設けられるユニット側コネクタ７０に接続される。このように、本実施形態の遊技媒体貸出装置１は、メンテナンスの頻度が高いユニット（ビルバリユニット１０、コインセレクタユニット２０、カード処理ユニット３０）を、１つのユニット部５内に設置してフレーム３に対して取り外しできるように構成されている。
【００２０】
ユニット部５は、後述するロック機構５０を介して、フレーム３に対して着脱可能に保持されており、また、制御ユニット４０との間に配設される着脱機構６０を介して、手前側に引き出されることにより、フレーム３から取り外されるようになっている。
また、本実施形態では、着脱機構６０の部分に、ユニット部５と制御ユニット４０との間で制御信号の送受信および電力の供給を行なうユニット側コネクタ７０および接続コネクタ７１が配設されている。
【００２１】
図２は、ロック機構５０の構成を示す図であり、（ａ）はロック状態を示す図、（ｂ）はロック状態が解除された状態を示す図である。  
ロック機構５０は、コインセレクタユニット２０の上下位置において、ユニット部５内で支持部５１ａを介して回動可能に軸支される上下一対の回動部材５１と、各回動部材５１を、図中、反時計回り方向に付勢保持する付勢バネ５２とを備えている。各回動部材５１には、それぞれ、後述する係止ピン５４に係合して回動部材５１を回動させる係合案内部５１ｂと、係止ピン５４が入り込んでロック状態にする溝５１ｃとが形成されると共に、両回動部材５１の間には、リンク部材５３が配設されて、上下の回動部材５１は同期駆動されるようになっている。
【００２２】
また、ロック機構５０は、フレーム３における背面フレーム３ａのコの字型部分に橋設される一対の係止ピン５４と、背面フレーム３ａの内部底面の上下の２箇所に配設されユニット部５の背面部に当て付く一対の押圧バネ５５と、各回動部材５１を駆動するための駆動手段（本実施形態では駆動モータ５６）とを備えている。
【００２３】
この駆動モータ５６の駆動軸５６ａには、ギヤ５６ｂが設けられており、このギヤ５６ｂは、ユニット部５に支持された偏芯カム５７と一体回転するギヤ５７ａと噛合されている。そして、偏芯カム５７は、リンク部材５３の下端面５３ａと当接可能となっており、偏芯カム５７が駆動モータ５６によって回転駆動されることで、回動部材５１は、図中、時計回り方向に所定量（溝５１ｃが係止ピン５４から外れる量だけ）回動駆動されるようになっている。
【００２４】
図３〜図７は、上述した着脱機構６０の構成を示す図であり、図３は、図示されていないユニット部が装着されている状態を示す図、図４は、ユニット部との係合関係を示す図、図５は、ユニット部を下面側から見た図、図６はユニット部５が装着された状態を正面から見た図、図７は着脱機構の動作状態を段階的に示した図である。
【００２５】
図３および図４に明確に示されるように、着脱機構６０は、制御ユニット４０の上面において背面フレーム３ａと一体化される断面コの字型の案内フレーム６１を備えており、この案内フレーム６１の左右両側壁６１ａ，６１ａの間には、ユニット部５をスライド可能に載置して保持するスライド機構が設けられている。このスライド機構は、案内フレーム６１に対して略水平方向（背面フレーム３ａと略直交する方向）にスライド可能な断面コの字型の第１のスライド部材６３と、第１のスライド部材６３に対して略水平方向（背面フレーム３ａと略直交する方向）にスライド可能な断面コの字型の第２のスライド部材６２とを備えている。
【００２６】
第１のスライド部材６３は、案内フレーム６１の両側壁６１ａ，６１ａの内面に摺接する一対の摺接壁部６３ａ，６３ａと、第２のスライド部材６２をスライド可能に支持するスライド面６３ｂとを有している。また、スライド面６３ｂの底部には、案内フレーム６１上を転動する回転可能な複数のローラ８０が設けられている。これらのローラ８０は、案内フレーム６１上に形成されたガイドレール８７に係合している。
【００２７】
また、第２のスライド部材６２は、第１のスライド部材６３の両摺接壁部６３ａ，６３ａの内面に摺接する一対の摺接壁部６２ａ，６２ａを有している。また、第２のスライド部材６２の底部には、第１のスライド部材６３のスライド面６３ｂ上を転動する回転可能な複数のローラ８２が設けられている。これらのローラ８２は、スライド面６３ｂ上に形成されたガイドレール８９に係合している。
【００２８】
また、一対の摺接壁部６２ａ，６２ａの前端部には、ユニット部５を可能に支持する支持手段が設けられている。また、一対の摺接壁部６２ａ，６２ａの後端部には、ユニット部５を係止して保持できるように係止手段が設けられている。この場合、前記支持手段は、両摺接壁部６２ａ，６２ａの前端部に下方に向けて凹状に形成された係合溝６２ｃ，６２ｃと両係合溝６２ｃ，６２ｃに入り込むようにユニット部５の裏面に配設された係合ピン５ａ（図５参照）とによって構成されている。また、前記係止手段は、両摺接壁部６２ａ，６２ａの後端部に橋設された係合ピン６２ｄと、この係合ピン６２ｄに係合されるようにユニット部５の下面側に形成された係合溝５ｂ（
図５参照 ）とによって構成されている。
【００２９】
第２のスライド部材６２の両摺接壁部６２ａ，６２ａ間には、ユニット部５を下側から保持する保持部材６６が配設されており、その中央位置には、制御ユニット４０と電気的に接続される接続コネクタ７１が設けられている。なお、この接続コネクタ７１には、ユニット部５が第２のスライド部材６２に対して装着される際、ユニット部５の裏面側に設けられたユニット側コネクタ７０（図５参照）が接続されるようになっている。また、保持部材６６の接続コネクタ７１の両側には、係合凹所６６ｂ，６６ｃが形成されており、ユニット部５が第２のスライド部材６２に対して装着される際、ユニット部５の裏面に突出形成された位置決め部材５ｄ，５ｅが入り込んで、確実な位置決めがなされるようになっている。
【００３０】
次に、上記構成の遊技媒体貸出装置１の作用について説明する。  
図１（ａ）の実線および図２（ａ）に示すように、ユニット部５がフレーム３に装着されている状態において、外部リモコンによるコマンドによってロック機構５０の駆動モータ５６を回転駆動する。
【００３１】
駆動モータ５６が回転駆動されると、偏芯カム５７が図２（ａ）において、時計回り方向に回転駆動され、図２（ｂ）に示すように、リンク部材５３の下端面５３ａに当て付きながら、リンク部材５３を上方に移動させる。リンク部材５３が上方に駆動されると、一対の回動部材５１が付勢バネ５２の付勢力に抗して時計回り方向に一体的に駆動され、これにより、各溝５１ｃは、フレーム側の係止ピン５４から外れる。
【００３２】
このように溝５１ｃと係止ピン５４の係合が解除されると、ユニット部５は、押圧バネ５５の付勢力によって前方に押し出される。この場合、ユニット部５は、その下端部において、前記支持手段及び係止手段によって、第２のスライド部材６２（第１のスライド部材６３を含むスライド機構）に係止保持された状態となっており、押圧バネ５５の付勢力によって、スライド部材６２と共に前方に押し出される。
【００３３】
この状態でユニット部５を把持し、さらに前方に引き出すと、図７（ａ）〜（ｃ）に示されるように第１のスライド部材６３および第２のスライド部材６２が段階的に前方に引き出され、フレーム３が配置される遊技機同士の間からユニット部５の側面のほぼ全体が露出するまでユニット部５がフレーム３に対して移動される。その状態が図１（ａ）に二点鎖線で示されている。この状態では、接続コネクタ７１とユニット側コネクタ７０とが依然として接続され、ユニット部５とフレーム３との電気的な接続が維持されているため、ユニット部５の駆動状態の確認をユニット部５の側面（開閉可能なカバー等を開いた状態で）から目視で行なうことができる。
【００３４】
なお、第１のスライド部材６３および第２のスライド部材６２のスライド量の規制は、ガイドレール８７，８９にローラ８０，８２の回転移動を規制するストッパを設けるなど、様々な手段によって実現し得る。要は、フレーム３が配置される遊技機同士の間からユニット部５の側面のほぼ全体が露出する適切な位置でフレーム３に対するユニット部５の移動（スライド部材６２，６３の移動）を停止できれば良い。
【００３５】
また、図１（ａ）の状態から、ユニット部５を上方に持ち上げることで、ユニット部５をフレーム３から取り外すことができる。このとき、制御ユニット４０側の接続コネクタ７１と、ユニット部５の裏面側に設けられたユニット側コネクタ７０との接続が解除される。
【００３６】
次に取り外されたユニット部５をフレーム３に装着する場合、ユニット部５の下部に設けられた係合ピン５ａを第２のスライド部材６２に形成された係合溝６２ｃに係合させるとともに、ユニット部５の裏面に突出形成された位置決め部材５ｄ，５ｅを第２のスライド部材６２の保持部材６６の係合凹所６６ｂ，６６ｃに入り込ませると、自動的にユニット側コネクタ７０が接続コネクタ７１に接続されて、第２のスライド部材６２に対して固定される。
【００３７】
そして、この状態でユニット部５を押圧バネ５５の付勢力に抗して押込むことで、上述したロック機構５０の各回動部材５１は、各係合案内部５１ｂが係止ピン５４によって案内された後、付勢バネ５２の付勢力により溝５１ｃに係止ピン５４が入り込んでロックされる。
【００３８】
以上説明したように、本実施形態の遊技媒体貸出装置１は、遊技機間に固定配置されるフレーム３と、フレーム３に対して着脱可能に取り付けられるとともに、紙幣識別装置、硬貨識別装置及び記録媒体処理装置を備え、フレーム３と電気的に接続されるユニット側コネクタ７０を有するユニット部５と、フレーム３に設けられ、ユニット側コネクタ７０と電気的に接続される接続コネクタ７１を有するとともに、フレーム３が配置される遊技機同士の間からユニット部５の側面のほぼ全体が露出するまでユニット部５をフレーム３に対して移動させるスライド部材６２，６３とを備えている。したがって、このような構成によれば、接続コネクタ７１とユニット側コネクタ７０とを接続したまま、スライド部材６２，６３を移動させて、フレーム３が配置される遊技機同士の間からユニット部５の側面のほぼ全体を露出させることができる。すなわち、ユニット部５とフレーム３との電気的な接続を維持したまま、ユニット部５をフレーム３から大きく引き出すことができる。そのため、ユニット部５をフレーム３に取り付けた状態のまま、ユニット部５の駆動状態の確認をユニット部の側面（開閉可能なカバー等を開いた状態で）から目視で行なうことができる。
【００３９】
また、本実施形態の遊技媒体貸出装置１では、ユニット側コネクタ７０がユニット部５の下部に設けられ、接続コネクタ７０を有するスライド部材６２がフレーム３の下部にスライド自在に設けられている。したがって、このような構成によれば、ユニット部５をスライド部材６２に位置合わせして載置するだけで、ユニット側コネクタ７０を自動的に接続コネクタ７１に接続させることが可能となる。この場合、例えば、ユニット部５の背面側で接続を行なう構成と比較して、接続位置が着脱ポイントに近くなることから、精度良く接続が行なえると共に、ユニット部５の自重が作用するため、確実な接続状態が維持される。
【００４０】
また、本実施形態の遊技媒体貸出装置１において、フレーム３には、ユニット部５に組み込まれた前記各装置１０，２０，３０の駆動制御を行なう制御ユニット４０が設けられており、接続コネクタ７１およびユニット側コネクタ７０を介して制御ユニット４０と前記各装置１０，２０，３０との間で電力の供給および制御信号の送受信が行なわれるようになっている。このように、メンテナンス等の頻度が少ない制御ユニット４０を、ユニット部５と分離される別体としてフレーム３側に設けておくことで、ユニット部５の大きさを小さくすることが可能になり、ユニット部５の取扱い性が向上すると共に、着脱操作がより容易に行なえるようになる。また、このように制御ユニット４０を予めフレーム側３に設けておくことで、フレーム３とユニット部５との間で、コネクタのピン数を少なくすることが可能となり、コネクタ接続が容易に行なえると共に、コネクタ部分の破損、折損等を効果的に防止することが可能になる。
【００４１】
以上、本発明の実施形態について説明したが、本発明は、上記した実施形態に限定されることは無く、例えば、以下の構成のように種々変形することが可能である。
【００４２】
上記したユニット部５は、上記したユニット（ビルバリユニット１０、コインセレクタユニット２０、カード処理ユニット３０）の内、少なくとも一つを組み込んだ構成であれば良く、また、上記した制御ユニット４０は分割することなく、ユニット部５内に組み込んだ構成であっても良い。また、ユニット部５に設けられるユニット側コネクタ７０と、制御ユニット４０側に設けられる接続コネクタ７１（ユニット部５に制御ユニット４０を組み込んだ構成では、ホストコンピュータに接続されるフレーム側に設けられる接続コネクタ）との接続位置は、ユニット部５の下面位置に限られず、例えば、ユニット部５の上面側で行なうようにしても良い。この場合、前記スライド機構は、フレーム３の上部に設けられる。
【００４３】
上記したロック機構５０は、駆動モータ５６を介して、ユニット部とフレームとの間をロック／解除するように構成していたが、駆動モータ以外にも、ソレノイド等を用いても良く、或いは、前面パネル６側から鍵を差し込むことで、機械的な構造でロック解除するような構成であっても良い。また、ロック機構５０は、ユニット部５とフレーム３との間で、ユニット部がロックされる構成であれば良く、その具体的な構成については、各種変形することが可能である。
【００４４】
上記した着脱機構６０は、フレーム３が配置される遊技機同士の間からユニット部５の側面のほぼ全体が露出するまでユニット部５をフレーム３に対して移動させることができれば、その具体的な構成についても、各種変形することが可能である。例えば、スライド部材６２，６３の構成、スライド部材６２，６３を案内する案内手段の構成については、適宜変形することが可能である。
【図面の簡単な説明】
【００４５】
【図１】遊技媒体貸出装置の一実施形態を示す図であり、（ａ）は内部構成の概略を示す側面図、（ｂ）は正面図である。
【図２】フレームとユニット部との間に配設されるロック機構の構成を示す図であり、（ａ）はロック状態を示す図、（ｂ）はロック状態が解除された状態を示す図である。
【図３】着脱機構の構成を示す斜視図である。
【図４】ユニット部の係合が解除される状態を示す斜視図である。
【図５】ユニット部を下面側から見た図である。
【図６】レール部材およびスライド部材の領域を正面から見た図である。
【図７】レール部材を介したスライド部材のスライド動作を段階的に示す平面図である。
【符号の説明】
【００４６】
１  遊技媒体貸出装置
３  フレーム
５  ユニット部
１０  紙幣識別装置
２０  硬貨識別装置
３０  記録媒体処理装置
４０  制御ユニット
６２  第２のスライド部材
６３  第１のスライド部材
７０  ユニット側コネクタ
７１  接続コネクタ
【図１】
2005046432.tif 000003
【図２】
2005046432.tif 000004
【図３】
2005046432.tif 000005
【図４】
2005046432.tif 000006
【図５】
2005046432.tif 000007
【図６】
2005046432.tif 000008
【図７】
2005046432.tif 000009